(57)【要約】【課題】  簡単な構成で、設置も容易に行え、しかも、道路補修工事の際に、地下構造物内に収容されているケーブル等の埋設物の損傷を確実に防止することができる。【解決手段】  地中に埋設される地下構造物の上に敷かれる防護板において、複数枚の矩形状鋳鉄製板材１からなり、各板材１は、四辺に端部リブ２が形成され、一辺の端部リブ２Ａは、フックの作用をし、前記フックと対向する他辺の端部リブ２Ｂには、受け部３が形成され、板材１の前記フックを隣接する板材１の受け部３に嵌め込むことによって、互いに連結される。【選択図】  図１
2006105254.tif 000002
【特許請求の範囲】
【請求項１】
地中に埋設される地下構造物の上に敷かれる防護板において、複数枚の矩形状鋳鉄製板材からなり、前記各板材は、四辺に端部リブが形成され、一辺の端部リブは、フックの作用をし、前記フックと対向する他辺の端部リブには、受け部が形成され、前記板材の前記フックを隣接する前記板材の前記受け部に嵌め込むことによって、互いに連結されることを特徴とする地下構造物用防護板。
【請求項２】
前記板材の中央上面には、十字状に中央リブが形成されていることを特徴とする、請求項１記載の地下構造物用防護板。
【請求項３】
前記端部リブの上面には、前記板材の連結方向を示すマークが表示されていることを特徴とする、請求項１または２記載の地下構造物用防護板。
【発明の詳細な説明】
【技術分野】
【０００１】
この発明は、地下構造物用防護板、特に、Ｃ．Ｃ．ボックス等の地下構造物内に収容されているケーブル等の埋設物が道路補修工事の際に誤ってコンクリートカッタや掘削機により損傷することを未然に防止することができる地下構造物用防護板に関するものである。
【背景技術】
【０００２】
地中に埋設される地下構造物、例えば、コンクリート製コンパクトケーブルボックス（以下、Ｃ．Ｃ．ボックスという。）は、地中に電力線や通信配線を敷設する際の中継箇所に構築されるものである。
【０００３】
通常、上記Ｃ．Ｃ．ボックスは、歩道の地下に構築され、地表の鉄蓋により塞がれるが、橋のたもとや、交差点等の場所では、地表面から比較的浅い深さに埋設されることがある。
【０００４】
このように、Ｃ．Ｃ．ボックスが浅い地中に埋設されていると、道路工事等においてコンクリートカッタや掘削機等によってＣ．Ｃ．ボックス内のケーブルが誤って切断される恐れがあった。
【０００５】
そこで、この問題点を解決するための地下構造物用防護板が特許第３４１８８５８号公報に開示されている。以下、これを従来地下構造物用防護板という。
【０００６】
従来地下構造物用防護板を、図面を参照しながら説明する。
【０００７】
図９は、Ｃ．Ｃ．ボックス上に設置された従来地下構造物用防護板を示す概略斜視図である。
【０００８】
図９に示すように、従来地下構造物用防護板Ａは、Ｃ．Ｃ．ボックス６上に敷き並べられた、比較的軟質なベース鋼板７と、ベース鋼板７上に配設される、ベース鋼板７と同質の複数枚の短冊状鋼板８と、短冊状鋼板８の周囲に配された枠状鋼板９とから構成されている。
【０００９】
Ｃ．Ｃ．ボックス６上に上記従来地下構造物用防護板Ａが乗せられた状態で、道路工事の際に、例えば、コンクリートカッタが突き当たると、防護板Ａが低強度かつ展延性を有することから、防護板Ａがカッタブレードにまとわり付き、切断が行えず、この結果、Ｃ．Ｃ．ボックス６内のケーブルの切断が回避される。
【００１０】
【特許文献１】特許第３４１８８５８号公報
【発明の開示】
【発明が解決しようとする課題】
【００１１】
上述した従来地下構造物用防護板によれば、カッタが防護板Ａの真上から降りて来た場合には、ベース鋼板７上の短冊状鋼板８にカッタブレードが食い込むことによってケーブルの切断が阻止され、カッタが防護板Ａの側方から来た場合には、枠状鋼板９にカッタブレードが食い込むことによってケーブルの切断が阻止される。
【００１２】
しかしながら、従来地下構造物用防護板Ａは、複数枚のベース鋼板７、複数枚の短冊状鋼板８および枠状鋼板９から構成されているので、その構成要素が多く、運搬や設置に手間と時間を要し、結果としてコストアップにつながっていた。
【００１３】
従って、この発明の目的は、簡単な構成で、設置も容易に行え、しかも、道路補修工事の際に、地下構造物内に収容されているケーブル等の埋設物の損傷を確実に防止することができる地下構造物用防護板を提供することにある。
【課題を解決するための手段】
【００１４】
この発明は、上記目的を達成するためになされたものであって、下記を特徴とするものである。
【００１５】
請求項１記載の発明は、地中に埋設される地下構造物の上に敷かれる防護板において、複数枚の矩形状鋳鉄製板材からなり、前記各板材は、四辺に端部リブが形成され、一辺の端部リブは、フックの作用をし、前記フックと対向する他辺の端部リブには、受け部が形成され、前記板材の前記フックを隣接する前記板材の前記受け部に嵌め込むことによって、互いに連結されることに特徴を有するものである。
【００１６】
請求項２記載の発明は、請求項１記載の発明において、板材の中央上面には、十字状に中央リブが形成されていることに特徴を有するものである。
【００１７】
請求項３記載の発明は、請求項１記載の発明において、端部リブの上面には、板材の連結方向を示すマークが表示されていることに特徴を有するものである。
【発明の効果】
【００１８】
この発明によれば、簡単な構成で、設置も容易に行え、しかも、道路補修工事の際に、地下構造物内に収容されているケーブル等の埋設物の損傷を確実に防止することができる。
【発明を実施するための最良の形態】
【００１９】
次に、この発明の地下構造物用防護板の一実施態様を、図面を参照しながら説明する。
【００２０】
図１は、この発明の地下構造物用防護板を示す平面図、図２は、この発明の地下構造物用防護板を示す底面図、図３は、この発明の地下構造物用防護板を示す右側面図、図４は、この発明の地下構造物用防護板を示す左側面図、図５は、この発明の地下構造物用防護板を示す正面図、図６は、この発明の地下構造物用防護板を示す背面図、図７は、図１のＡ−Ａ線断面図、図８は、連結されたこの発明の地下構造物用防護板を示す断面図である。
【００２１】
図１から図７に示すように、この発明の地下構造物用防護板は、複数枚の矩形状鋳鉄製板材１からなっている。各板材１は、ほぼ正方形状に形成されていて、四辺に端部リブ２が形成され、一辺の端部リブ２Ａは、フックの作用をし、このフックと対向する他辺の端部リブ２Ｂには、フックの受け部３が形成されている。また、板材１の中央上面には、十字状に中央リブ４が形成されている。
【００２２】
このように構成されている、この発明の地下構造物用防護板によれば、図８に示すように、例えば、Ｃ．Ｃ．ボックス６上に順次連結して設置する。すなわち、一方の板材１の受け部３に、これと隣接する他方の板材１のフックを嵌め込む。なお、板材１がほぼ正方形状に形成されている場合には、フックを受け部に嵌め込まなくても板材１を並べて設置することができてしまう。この場合には、板材１同士が連結されないので、間隔があくなどの問題が生じる恐れがある。従って、このような問題が起こらないように、図１に示すように、端部リブ２Ａ，２Ｂの上面に、板材１の連結方向を示す矢印等のマーク５を表示すると良い。
【００２３】
この発明の地下構造物用防護板が設置されたＣ．Ｃ．ボックス等の地下構造物上に、道路工事等において、コンクリートカッタが進行してくると、カッタと鋳鉄製板材とにより激しい金属音が発せられるので、作業者は、異物の切断に早期に気が付き、切断作業を中止する。この結果、Ｃ．Ｃ．ボックス内のコンクリートカッタによるケーブル切断事故を未然に防ぐことができる。なお、掘削機等が鋳鉄製板材に当たった場合であっても、異物の衝突に早期に気が付くので、掘削機等によるケーブル切断事故を未然に防ぐことができる。
【図面の簡単な説明】
【００２４】
【図１】この発明の地下構造物用防護板を示す平面図である。
【図２】この発明の地下構造物用防護板を示す底面図である。
【図３】この発明の地下構造物用防護板を示す右側面図である。
【図４】この発明の地下構造物用防護板を示す左側面図である。
【図５】この発明の地下構造物用防護板を示す正面図である。
【図６】この発明の地下構造物用防護板を示す背面図である。
【図７】図１のＡ−Ａ線断面図である。
【図８】連結されたこの発明の地下構造物用防護板を示す断面図である。
【図９】Ｃ．Ｃ．ボックス上に設置された従来地下構造物用防護板を示す概略斜視図である。
【符号の説明】
【００２５】
１：板材
２：端部リブ
２Ａ：フック作用を有する端部リブ
２Ｂ：受け部を有する端部リブ
３：受け部
４：中央リブ
５：マーク
６：Ｃ．Ｃ．ボックス
７：ベース鋼板
８：短冊状鋼板
９：枠状鋼板
Ａ：従来地下構造物用防護板
【図１】
2006105254.tif 000003
【図２】
2006105254.tif 000004
【図３】
2006105254.tif 000005
【図４】
2006105254.tif 000006
【図５】
2006105254.tif 000007
【図６】
2006105254.tif 000008
【図７】
2006105254.tif 000009
【図８】
2006105254.tif 000010
【図９】
2006105254.tif 000011